(57)【要約】【課題】設定値をコピーした後の動作不具合を防止することができるＡＶ機器を提供する。【解決手段】本発明に係るＡＶ機器は、本体電源釦（９の一部）と、前記ＡＶ機器の設定の設定値を不揮発的に記憶する記憶部（１４）と、外部（１７）から供給される前記ＡＶ機器の設定の設定値に基づいて、前記記憶部に記憶内容を更新させる制御部（１３）とを備え、外部から供給される前記ＡＶ機器の設定の設定値に基づいて前記記憶部が記憶内容を更新する際に、前記記憶部の記憶内容にかかわらない前記本体電源釦のロック解除を開始し、その後、前記本体電源釦の操作により本体電源がオフになり、更にその後、前記本体電源釦の操作により本体電源がオンになれば、前記記憶部の記憶内容にかかわらない前記本体電源釦のロック解除を終了する。【選択図】図１
2011055132.tif 000002
【特許請求の範囲】
【請求項１】
本体電源釦を備えるＡＶ機器であって、
前記ＡＶ機器の設定の設定値を不揮発的に記憶する記憶部と、
外部から供給される前記ＡＶ機器の設定の設定値に基づいて、前記記憶部に記憶内容を更新させる制御部とを備え、
外部から供給される前記ＡＶ機器の設定の設定値に基づいて前記記憶部が記憶内容を更新する際に、前記記憶部の記憶内容にかかわらない前記本体電源釦のロック解除を開始し、
その後、前記本体電源釦の操作により本体電源がオフになり、更にその後、前記本体電源釦の操作により本体電源がオンになれば、
前記記憶部の記憶内容にかかわらない前記本体電源釦のロック解除を終了することを特徴とするＡＶ機器。
【請求項２】
前記記憶部が、第１の記憶部であり、
前記制御部が、前記第１の記憶部の記憶内容に従って動作する第１の制御部であり、
記憶内容を不揮発的に記憶する第２の記憶部と、前記第２の記憶部の記憶内容に従って動作し少なくとも本体電源のオン／オフ切換に関する制御動作を行う第２の制御部とを備え、
外部から供給される前記ＡＶ機器の設定の設定値に基づいて前記第１の記憶部が記憶内容を更新する際に、前記第１の制御部が、前記本体電源釦のロックが解除されるような設定値を含むダミー設定値を、前記第２の制御部へ通知することにより、前記記憶部の記憶内容にかかわらない前記本体電源釦のロック解除が開始される請求項１に記載のＡＶ機器。
【請求項３】
前記第１の制御部が、前記本体電源釦のロックが解除されるような設定値を含むダミー設定値を、前記第２の制御部へ通知すると、
前記第２の制御部が、前記ダミー設定値に基づいて、前記第２の記憶部に記憶内容を更新させる請求項２に記載のＡＶ機器。
【請求項４】
前記本体電源釦の操作により本体電源がオフからオンになると、
前記第１の制御部が、前記第１の記憶部に記憶されている前記ＡＶ機器の設定の設定値を、前記第２の制御部へ通知し、
前記第２の制御部が、前記第１の制御部からの通知に基づいて、前記第２の記憶部に記憶内容を更新させる請求項２又は請求項３に記載のＡＶ機器。
【請求項５】
前記ダミー設定値が、前記ＡＶ機器を遠隔操作するためのリモコン送信機のキー操作がロックされるような設定値を含んでいる請求項２〜４のいずれか１項に記載のＡＶ機器。
【請求項６】
前記ＡＶ機器が、デジタル放送信号を受信するデジタルＡＶ機器であり、
限定受信情報が記録されたＩＣカードを着脱自在に挿入可能なスロットを備え、
前記ＡＶ機器の設定の設定値を記録する設定値記録装置が前記スロットに挿入されて、前記ＡＶ機器の設定の設定値が外部から供給される請求項１〜５のいずれか１項に記載のＡＶ機器。
【発明の詳細な説明】
【技術分野】
【０００１】
本発明は、ＡＶ機器に関し、特に設定のコピーが可能なＡＶ機器に関する。
【背景技術】
【０００２】
ＡＶ機器は、各種設定（例えば、本体操作釦のロックに関する設定、入力切換の禁止に関する設定、メニュー表示の禁止に関する設定、リモコンのロックに関する設定、最大音量の設定、選局可能なチャンネルに関する設定、映像のコントラストに関する設定、映像のブライトに関する設定など）を、内部のメモリに不揮発的に記憶している。
【０００３】
そして、例えば、ホテルの各客室に設置するテレビ受信機をホテルに納品する場合、宿泊客に対する視聴制限や操作制限、客室の照明環境などがホテル毎に異なるため、販売店やサービスの設置作業者が、多数（客室数に対応する台数）のテレビ受信機の設定を、納品するホテルに適した設定にする必要がある。かかる設定作業の具体的な方法としては、多数のテレビ受信機について手動で１台毎に設定値を入力（選択）する方法があるが、当該方法を実施した場合、設置作業者の作業負担が大きいうえに人為的ミスが発生するおそれがある。
【０００４】
そこで、１台のテレビ受信機について手動で設定値の入力を行い、手動による設定値の入力が完了したテレビ受信機から設定値を読み出してＳＤ（Secure Digital）メモリカードなどの外部メモリに書き込み、その外部メモリを用いて他のテレビ受信機に設定値をコピーする方法が提案され実用化されている。
【先行技術文献】
【特許文献】
【０００５】
【特許文献１】特開２００２−３６９０８９号公報
【特許文献２】特許第３４３９１４１号公報
【特許文献３】特許第３６６３０２７号公報
【発明の概要】
【発明が解決しようとする課題】
【０００６】
１台のテレビ受信機について手動で設定値の入力を行い、手動による設定値の入力が完了したテレビ受信機から設定値を読み出してＳＤメモリカードなどの外部メモリに書き込み、その外部メモリを用いて他のテレビ受信機に設定値をコピーする方法を実施した場合、テレビ受信機の動作不具合を防ぐために、設定値のコピー終了後、本体電源を一旦オフにしてから再度本体電源をオンにすることが一般的である。ところが、本体操作釦のロックに関する設定により本体操作釦の操作が無効になっている場合、設置作業者が本体電源釦を押下しても本体電源をオフにすることができないという問題がある。
【０００７】
なお、特許文献１で提案されているメモリバックアップ機能付きテレビジョン受像機は不揮発性メモリの値がバックアップされる点において設定値のコピーに若干関連があり、特許文献２で提案されているデジタルテレビジョン受像機のプログラム書き換えシステム及び特許文献３で提案されているデジタルテレビジョン受信機はプログラムを書き換える点において設定値のコピーに若干関連があるが、特許文献１〜３のいずれにおいても、上述の問題、すなわち、本体操作釦のロックに関する設定により本体操作釦の操作が無効になっている場合、設置作業者が本体電源釦を押下しても本体電源をオフにすることができないという問題およびその解決手段については何ら記載されていない。
【０００８】
本発明は、上記の状況に鑑み、設定値をコピーした後の動作不具合を防止することができるＡＶ機器を提供することを目的とする。
【課題を解決するための手段】
【０００９】
上記目的を達成するために本発明に係るＡＶ機器は、本体電源釦と、前記ＡＶ機器の設定の設定値を不揮発的に記憶する記憶部と、外部から供給される前記ＡＶ機器の設定の設定値に基づいて、前記記憶部に記憶内容を更新させる制御部とを備え、外部から供給される前記ＡＶ機器の設定の設定値に基づいて前記記憶部が記憶内容を更新する際に、前記記憶部の記憶内容にかかわらない前記本体電源釦のロック解除を開始し、その後、前記本体電源釦の操作により本体電源がオフになり、更にその後、前記本体電源釦の操作により本体電源がオンになれば、前記記憶部の記憶内容にかかわらない前記本体電源釦のロック解除を終了するようにしている。
【００１０】
このような構成によると、設定値をコピーした後に、設置作業者が本体電源釦を押下しても本体電源をオフにすることができないという問題が生じないので、設定値をコピーした後の動作不具合を防止することができる。
【００１１】
また、前記記憶部が、第１の記憶部であり、前記制御部が、前記第１の記憶部の記憶内容に従って動作する第１の制御部であり、記憶内容を不揮発的に記憶する第２の記憶部と、前記第２の記憶部の記憶内容に従って動作し少なくとも本体電源のオン／オフ切換に関する制御動作を行う第２の制御部とを備え、外部から供給される前記ＡＶ機器の設定の設定値に基づいて前記第１の記憶部が記憶内容を更新する際に、前記第１の制御部が、前記本体電源釦のロックが解除されるような設定値を含むダミー設定値を、前記第２の制御部へ通知することにより、前記記憶部の記憶内容にかかわらない前記本体電源釦のロック解除が開始されるようにしてもよい。
【００１２】
さらに、前記第１の制御部が、前記本体電源釦のロックが解除されるような設定値を含むダミー設定値を、前記第２の制御部へ通知すると、前記第２の制御部が、前記ダミー設定値に基づいて、前記第２の記憶部に記憶内容を更新させてもよい。
【００１３】
また、前記本体電源釦の操作により本体電源がオフからオンになると、前記第１の制御部が、前記第１の記憶部に記憶されている前記ＡＶ機器の設定の設定値を、前記第２の制御部へ通知し、前記第２の制御部が、前記第１の制御部からの通知に基づいて、前記第２の記憶部に記憶内容を更新させようにしてもよい。このような構成によると、前記記憶部の記憶内容にかかわらない前記本体電源釦のロック解除の終了を容易に実現することができる。
【００１４】
また、前記ダミー設定値が、前記ＡＶ機器を遠隔操作するためのリモコン送信機のキー操作がロックされるような設定値を含んでいるようにしてもよい。このような構成によると、設定値をコピーした後に、設置作業者が誤ってリモコン送信機によって電源オフすることを防止することができる。
【００１５】
また、前記ＡＶ機器が、デジタル放送信号を受信するデジタルＡＶ機器であり、限定受信情報が記録されたＩＣカードを着脱自在に挿入可能なスロットを備え、前記ＡＶ機器の設定の設定値を記録する設定値記録装置が前記スロットに挿入されて、前記ＡＶ機器の設定の設定値が外部から供給されるようにしてもよい。このような構成によると、既存のスロットが兼用できるので、ＡＶ機器の設計変更や構成の複雑化及びコストアップを抑制することが可能となる。
【発明の効果】
【００１６】
本発明に係るＡＶ機器によると、設定値をコピーした後に、設置作業者が本体電源釦を押下しても本体電源をオフにすることができないという問題が生じないので、設定値をコピーした後の動作不具合を防止することができる。
【図面の簡単な説明】
【００１７】
【図１】本発明の一実施形態に係るテレビ受信機の概略構成例を示す図である。
【図２】本体電源釦の操作に関連するサブＣＰＵの動作を示すフローチャートである。
【図３】業務用メニューの表示を示す図である。
【図４】業務用メニューの他の表示を示す図である。
【図５】多数の図１に示すテレビ受信機の設定を行う場合の手順を示すフローチャートである。
【図６】業務用メニューの更に他の表示を示す図である。
【図７】ＳＤメモリカードからテレビ受信機へのコピー処理の詳細とその後の処理とを示すフローチャートである。
【発明を実施するための形態】
【００１８】
本発明の実施形態について図面を参照して以下に説明する。本発明に係るＡＶ機器について、ここでは、テレビ受信機を例に挙げて説明する。本発明の一実施形態に係るテレビ受信機の概略構成例を図１に示す。
【００１９】
図１に示すテレビ受信機は、チューナ２と、ＭＰＥＧ（Moving Picture Experts Group）デコーダ３と、映像処理回路４と、スケーラ５と、ディスプレイ６と、ビデオ入力端子７と、Ｂ−ＣＡＳ（BS-Conditional Access Systems、ともに登録商標）スロット８と、本体操作釦９と、キー受信部１０と、サブＣＰＵ（Central Processing Unit）１１と、ＥＥＰＲＯＭ（Electrically Erasable and Programmable Read Only Memory）１２と、メインＣＰＵ１３と、フラッシュＲＯＭ１４と、電源ユニット１５と、電源制御部１６とを備えるデジタルテレビ受信機である。
【００２０】
アンテナ１は、屋外に配置されており、デジタル放送波を受信し、高周波デジタル変調信号をチューナ２に出力する。
【００２１】
チューナ２は、メインＣＰＵ１３からのチャンネル選択信号によって物理チャンネルを選択する。チューナ２は、このチャンネル選択プロセスによって、高周波デジタル変調信号を特定周波数の信号に変換する。また、チューナ２は、選択されたデジタル変調信号を復調してトランスポートストリームを生成し、その生成したトランスポートストリームからビデオストリームを分離し、そのビデオストリームをＭＰＥＧデコーダ３に出力する。
【００２２】
ＭＰＥＧデコーダ３は、Ｂ−ＣＡＳカードやＣ−ＣＡＳカードなどのＩＣ（Integrated Circuit）カード２１からＢ−ＣＡＳスロット８を介して送られてくる鍵情報に基づいてビデオストリームのスクランブルを解除した後、ビデオストリームに対してデコードを行い、デコード後の映像信号を映像処理回路４に出力する。
【００２３】
ビデオ入力端子７は例えばＳ端子やＤ端子である。外部機器から接続ケーブルを介してビデオ入力端子７に入力された映像信号は映像処理回路４へ出力される。
【００２４】
映像処理回路４は、ＭＰＥＧデコーダ３あるいはビデオ入力端子７から送られてくる映像信号に対してデジタル映像処理を行う。スケーラ５は、映像処理回路４から送られてくる映像信号の種類に応じた拡大縮小処理を行う。そして、ディスプレイ６は、スケーラ５から送られてくる映像信号に基づき映像を表示する。
【００２５】
Ｂ−ＣＡＳスロット８には、設定値記録装置１７や、Ｂ−ＣＡＳカードやＣ−ＣＡＳカードなどのＩＣカード２１が挿入されて、図１に示すテレビ受信機にそれぞれ接続される。そして、設定値記録装置１７に記録されている各設定値や、ＩＣカード２１に記録されているＢ−ＣＡＳ情報が、Ｂ−ＣＡＳスロット８を介してメインＣＰＵ１３に読み出される。反対に、フラッシュＲＯＭ１４からメインＣＰＵ１３に読み出される各設定値が、Ｂ−ＣＡＳスロット８を介して設定値記録装置１７に記録される。また同様に、例えば有料放送などの受信処理に伴ってメインＣＰＵ１３で生成されるＢ−ＣＡＳ情報が、Ｂ−ＣＡＳスロット８を介してＩＣカード２１に記録される。
【００２６】
本体操作釦９は、本体電源釦を含む複数の釦によって構成され、例えば、本体電源釦、入力切換釦、チャンネルアップ釦、チャンネルダウン釦、音量アップ釦、及び音量ダウン釦によって構成される。
【００２７】
キー受信部１０は、リモコン送信機（不図示）からのリモコン信号を受信し、その受信したリモコン信号をコマンド信号に変換してサブＣＰＵ１１に与える。
【００２８】
電源ユニット１５は、商用交流電圧を直流電圧に変換してサブＣＰＵ１１及び電源制御部１６に供給する。
【００２９】
サブＣＰＵ１１は、ＥＥＰＲＯＭ１２に不揮発的に記憶されているプログラムやデータに従って動作するＣＰＵであって、キー受信部１０から送られてくるコマンド信号に対する処理、本体操作釦９の操作状況に応じた処理、電源制御部１６の制御を主に行う。そして、サブＣＰＵ１１は、電源ユニット１５が電源プラグ（不図示）から商用交流電圧を受け取っている限り、電源ユニット１５から直流電圧の供給を受けて動作しており、キー受信部１０から送られてくるコマンド信号や本体操作釦９の本体電源釦の操作状況を監視する等の処理を行う。ただし、本体操作釦９の本体電源釦の操作によって本体電源がオフである場合には、サブＣＰＵ１１は、キー受信部１０から送られてくるコマンド信号を監視する処理を行わない。一方、メインＣＰＵ１３は、フラッシュＲＯＭ１４に不揮発的に記憶されているプログラムやデータに従って動作するＣＰＵであって、チューナ２、ＭＰＥＧデコーダ３、映像処理回路４、スケーラ３、ディスプレイなどに対する制御を主に行う。サブＣＰＵ１１とメインＣＰＵ１３とは、相互に通信ができる仕様となっている。
【００３０】
電源制御部１６は、サブＣＰＵ１１の制御により、図１に示すテレビ受信機が電源オフ（本体操作釦９の本体電源釦の操作によって本体電源がオフである場合、又は、キー受信部１０から送られてくるコマンド信号によって電源がオフである場合）であれば、電源ユニット１５から供給される直流電圧をメインＣＰＵ１３や各部（チューナ２など）に供給せず、図１に示すテレビ受信機が電源オフ（本体操作釦９の本体電源釦の操作によって本体電源がオフである場合、又は、キー受信部１０から送られてくるコマンド信号によって電源がオフである場合）であれば、電源ユニット１５から供給される直流電圧をメインＣＰＵ１３や各部（チューナ２など）に供給する。
【００３１】
設定値記録装置１７は、設定情報が記録されるＳＤメモリカード１８と、Ｂ−ＣＡＳスロット８とＳＤメモリカード１８とを接続してＳＤメモリカード１８から設定情報を読み出すまたはＳＤメモリカード１８に設定情報を記録する外部メモリ治具１９と、を備える。ＳＤメモリカード１８は、外部メモリ治具１９に対して着脱自在（交換可能）であり、本実施形態ではmicroＳＤカードを用いている。また、外部メモリ治具１９は、ＳＤメモリカード１８から読み出した設定情報をＢ−ＣＡＳスロット８に対してシリアル信号として送信したりＢ−ＣＡＳスロット８からシリアル信号として送信された設定情報をＳＤメモリカード１８に記録するための信号に変換したりするＳＤ−シリアル変換回路２０を備える。
【００３２】
次に、本体操作釦９の本体電源釦の操作に関連するサブＣＰＵ１１の動作について図２に示すフローチャートを参照して説明する。
【００３３】
図１に示すテレビ受信機の電源プラグ（不図示）が電源コンセント（不図示）に差し込まれ、電源ユニット１５からサブＣＰＵ１１への直流電圧の供給が開始されると、サブＣＰＵ１１は起動して図２に示すフローチャートの動作を開始する。
【００３４】
サブＣＰＵ１１は、本体操作釦９の本体電源釦の操作状況を監視し、本体電源釦が押下されたか否かを判定する（ステップＳ１０）。本体電源釦が押下されていなければ（ステップＳ１０のＮＯ）、ステップＳ１０に戻る。一方、本体電源釦が押下されていれば（ステップＳ１０のＹＥＳ）、サブＣＰＵ１１は、ＥＥＰＲＯＭ１２から「本体操作釦のロック」の設定値を読み出す（ステップＳ２０）。
【００３５】
ステップＳ２０に続くステップＳ３０において、サブＣＰＵ１１は、「本体操作釦のロック」の設定値が「する」であるか否かを判定する（ステップＳ３０）。「本体操作釦のロック」の設定値が「する」であれば（ステップＳ３０のＹＥＳ）、本体操作釦９の本体電源釦がロック状態であるので、本体電源のオン／オフ切換を行わずに、ステップＳ１０に戻る。一方、「本体操作釦のロック」の設定値が「する」でなければ（ステップＳ３０のＮＯ）、本体操作釦９の本体電源釦がロック状態でないので、サブＣＰＵ１１は、本体電源のオン／オフ切換を実行し（ステップＳ４０）、その後、ステップＳ１０に戻る。
【００３６】
図２に示すフローチャートの動作は、図１に示すテレビ受信機の電源プラグ（不図示）が電源コンセント（不図示）から抜かれるまで継続する。
【００３７】
次に、図１に示すテレビ受信機の設定の変更を行う場合の手順について、図１に示すテレビ受信機の設定の一つである「本体操作釦のロック」を例に挙げ、図３及び図４を参照して説明する。
【００３８】
（i）まず、設置業者は、複合リモコンキー（特定の複数リモコンキーの同時操作）や隠しメニューなどを用いて、図３に示す業務用メニューをディスプレイ６に表示させる。
【００３９】
（ii）続いて、設置業者は、図３に示す業務用メニューにおいて表示されている項目（「設定データ一括コピー」Ｈ１、「本体操作釦のロック」Ｈ２、「入力切換の禁止」Ｈ３、「メニュー表示の禁止」Ｈ４、「リモコンのロック」Ｈ５、「最大音量の設定」Ｈ６）の中から「本体操作釦のロック」Ｈ２をリモコン送信機（不図示）の上下キーで選択し、選択後にリモコン送信機（不図示）の決定キーを押す。
【００４０】
（iii）決定キーの押下により、ディスプレイ６の表示が、図３に示す業務用メニューから図４に示す業務用メニューに切り換わる。
【００４１】
（iv）それから、設置業者は、図４に示す業務用メニューにおいて表示されている「本体操作釦のロック」の設定値（「する」ＳＶ１、「しない」ＳＶ２）のいずれかをリモコン送信機（不図示）の上下キーで選択し、選択後にリモコン送信機（不図示）の決定キーを押して設定の変更を確定する。
【００４２】
（v）設定の変更の確定により、メインＣＰＵ１３は、「本体操作釦のロック」の変更された設定値をフラッシュＲＯＭ１４に保存する。また、メインＣＰＵ１３は、「本体操作釦のロック」の変更された設定値をサブＣＰＵ１１へ通知し、サブＣＰＵ１１は、「本体操作釦のロック」の変更された設定値をＥＥＰＲＯＭ１２に保存する。これにより、フラッシュＲＯＭ１４に記憶されている各設定値とＥＥＰＲＯＭ１２に記憶されている各設定値との整合性が保証される。
【００４３】
「本体操作釦のロック」以外の設定についても、上記手順と同様の手順により、設定の変更が可能である。
【００４４】
次に、多数の図１に示すテレビ受信機の設定を行う場合の手順について図５及び図６を参照して説明する。
【００４５】
まず、設置業者は、１台目のテレビ受信機に対して、上述した手順に従って設定の変更を行う（ステップＳ１１０）。さらにユーザー用メニューがある場合にはユーザー用メニュー内の各種設定も同様の手順で行うとよい。
【００４６】
それから、設置業者は、図３に示す業務用メニューをディスプレイ６に表示させた状態で、「設定データ一括コピー」Ｈ１をリモコン送信機（不図示）の上下キーで選択し、選択後にリモコン送信機（不図示）の決定キーを押す。決定キーの押下により、ディスプレイ６の表示が、図３に示す業務用メニューから図６に示す業務用メニューに切り換わる（ステップＳ１２０）。
【００４７】
それから、設置業者は、図６に示す業務用メニューにおいて表示されている「設定データの一括コピー」の選択肢（「ＴＶからＳＤ」ＯＰ１、「ＳＤからＴＶ」ＯＰ２）の中から「ＴＶからＳＤ」ＯＰ１をリモコン送信機（不図示）の上下キーで選択し、選択後にリモコン送信機（不図示）の決定キーを押して、１台目のテレビ受信機の各種設定の各設定値（全部の設定の各設定値であってもよく、予め決められた一部の設定の各設定値であってもよい）をＳＤメモリカードへコピーする（ステップＳ１３０）。
【００４８】
そして、設置業者は、Ｂ−ＣＡＳスロット８から外部メモリ治具１７を抜き出すことにより、各設定値がコピーされたＳＤメモリカードを１台目のテレビ受信機から抜き取る（ステップＳ１４０）。
【００４９】
その後、外部メモリ治具１７を別のテレビ受信機のＢ−ＣＡＳスロット８に挿入することにより、各設定値がコピーされたＳＤメモリカードを別のテレビ受信機に挿入する（ステップＳ１５０）。
【００５０】
それから、設置業者は、図３に示す業務用メニューを上記別のテレビ受信機のディスプレイ６に表示させた状態で、「設定データ一括コピー」Ｈ１をリモコン送信機（不図示）の上下キーで選択し、選択後にリモコン送信機（不図示）の決定キーを押す。決定キーの押下により、ディスプレイ６の表示が、図３に示す業務用メニューから図６に示す業務用メニューに切り換わる（ステップＳ１６０）。
【００５１】
それから、設置業者は、図６に示す業務用メニューにおいて表示されている「設定データの一括コピー」の選択肢（「ＴＶからＳＤ」ＯＰ１、「ＳＤからＴＶ」ＯＰ２）の中から「ＳＤからＴＶ」ＯＰ２をリモコン送信機（不図示）の上下キーで選択し、選択後にリモコン送信機（不図示）の決定キーを押して、ＳＤメモリカードに保存されている各設定値を上記別のテレビ受信機にコピーする（ステップＳ１７０）。
【００５２】
そして、設置業者は、Ｂ−ＣＡＳスロット８から外部メモリ治具１７を抜き出すことにより、各設定値がコピーされたＳＤメモリカードを上記別のテレビ受信機から抜き取る（ステップＳ１８０）。
【００５３】
各設定値のコピーを行うべきテレビ受信機に対して、上記ステップＳ１５０〜ステップＳ１８０の動作を行う（ステップＳ１９０）。
【００５４】
上記の手順で多数の図１に示すテレビ受信機の設定を行うことにより、手動で１台毎に設定値を入力（選択）する必要がなくなるので、設置作業者の作業負担や人為的ミスを大幅に低減することができる。
【００５５】
最後に、上述した図５のステップＳ１７０での処理の詳細とその後の処理について、図７を参照して説明する。
【００５６】
ＳＤメモリカードに保存されている各設定値をテレビ受信機にコピーする処理では、まず、メインＣＰＵ１３が、Ｂ−ＣＡＳスロット８に挿入されている設定値記録装置１７のＳＤメモリカード１８に保存されている各設定値を読み出し（ステップＳ２１０）、フラッシュＲＯＭ１４に保存する（ステップＳ２２０）。その後、メインＣＰＵ１３は、ダミー設定値（「本体操作釦のロック」の設定値「しない」、「リモコンのロック」の設定値「する」）をサブＣＰＵ１１へ通知する（ステップＳ２３０）。
【００５７】
サブＣＰＵ１１は、ダミー設定値を受信し、ダミー設定値に従ってＥＥＰＲＯＭ１２の保存内容を更新する（ステップＳ２４０）。
【００５８】
メインＣＰＵ１３は、サブＣＰＵ１１との通信により、ＥＥＰＲＯＭ１２の保存内容更新を確認した後、各設定値のコピー終了を知らせるメッセージと本体電源オフを求めるメッセージをディスプレイ６に表示させる（ステップＳ２５０）。ディスプレイ６に表示されるメッセージは、例えば、「コピーを完了しました。本体電源を切って下さい。」とすればよい。
【００５９】
上記のステップＳ２１０〜ステップＳ２５０の処理が、上述した図５のステップＳ１７０での処理の詳細となっている。設置業者は、上記のステップステップＳ２５０での表示メッセージに従って、本体操作釦９の本体電源釦を押下して本体電源をオフにする（ステップＳ２６０）。このとき、サブＣＰＵ１１は、上記のダミー設定値のおかげで、「本体操作釦のロック」を「しない」設定で動作する。このため、設置作業者が本体電源釦を押下しても本体電源をオフにすることができないという問題は生じない。また、このとき、サブＣＰＵ１１は、上記のダミー設定値のおかげで、「リモコンのロック」を「する」設定で動作する。このため、設置作業者が誤ってリモコン送信機（不図示）によって電源オフすることを防止することができる。
【００６０】
その後、設置業者は、本体操作釦９の本体電源釦を押下して本体電源をオンにする（ステップＳ２７０）。本体電源がオンになり、電源制御部１６からメインＣＰＵ１３への直流電圧の供給が開始されると、メインＣＰＵ１３は起動してフラッシュＲＯＭ１４に保存されている各設定値をサブＣＰＵ１１に通知する（ステップＳ２８０）。サブＣＰＵ１１は、各設定値を受信し、受信した各設定値に従ってＥＥＰＲＯＭ１２の保存内容を更新する（ステップＳ２９０）。上記のステップＳ２８０及びステップＳ２９０の処理により、フラッシュＲＯＭ１４に記憶されている各設定値とＥＥＰＲＯＭ１２に記憶されている各設定値との整合性が保証される。
【００６１】
以上、本発明に係る実施形態について説明したが、本発明の範囲はこれに限定されるものではなく、発明の主旨を逸脱しない範囲で種々の変更を加えて実行することができる。
【００６２】
例えば、本発明はテレビ受信機以外のＡＶ機器（例えば、光ディスク装置など）にも適用可能である。また、上述した実施形態では、ＳＤメモリカードを利用して設定値のコピーを行ったが、例えば、コピー元のＡＶ機器とコピー先のＡＶ機器とをＨＤＭＩ（High-Definition Multimedia Interface）接続し、ＨＤＭＩのＣＥＣコマンド（Consumer Electronics Control）を利用して設定値のコピーを行ってもよく、また例えば、コピー元のＡＶ機器が設定値を含むデータを映像データにエンコードして外部出力し、コピー先のＡＶ機器が外部入力した映像データをデコードして設定値を含むデータに変換して設定値のコピーを行ってもよい。
【００６３】
また、上述した実施形態では、設定値記録装置１７の記録媒体としてＳＤメモリカード１８を適用する例について述べたが、ＵＳＢ（Universal Serial Bus）メモリなどの他の種類の記録媒体を適用することとしても構わない。また、図１に示すテレビ受信機と設定値記録装置１７との通信方法（例えば、Ｉ２ＣまたはＲＳ−２３２Ｃ、シリアルまたはパラレル、有線または無線）は、どのようなものとしても構わない。ただし、Ｂ−ＣＡＳスロット８、外部メモリ治具１９やＳＤ−シリアル変換回路２０などのインターフェースは、適用する記録媒体や通信方法に応じたものにする。
【００６４】
設定値記録装置１７の外部メモリ治具１９と図１に示すテレビ受信機とを一体化させ、ＳＤメモリカード１８などの記録媒体を図１に示すテレビ受信機から着脱自在とする構成としても構わない。また、図１に示すテレビ受信機に、設定値記録装置１７の専用のインターフェースを設けても構わない。
【００６５】
ただし、図１に示すように、既存の構成であるＢ−ＣＡＳスロット８を利用して、外部メモリ治具２０をＢ−ＣＡＳスロット８から着脱自在とすることにより、図１に示すテレビ受信機の設計変更や構成の複雑化及びコストアップを抑制することが可能となるため、好ましい。
【符号の説明】
【００６６】
１  アンテナ
２  チューナ
３  ＭＰＥＧデコーダ
４  映像処理回路
５  スケーラ
６  ディスプレイ
７  ビデオ入力端子
８  Ｂ−ＣＡＳスロット
９  本体操作釦
１０  キー受信部
１１  サブＣＰＵ（第２の制御部の一例）
１２  ＥＥＰＲＯＭ（第２の記憶部の一例）
１３  メインＣＰＵ（第１の制御部の一例）
１４  フラッシュＲＯＭ（第１の記憶部の一例）
１５  電源ユニット
１６  電源制御部
１７  設定値記録装置
１８  ＳＤメモリカード
１９  外部メモリ治具
２０  ＳＤ−シリアル変換回路
２１  ＩＣカード
【図１】
2011055132.tif 000003
【図２】
2011055132.tif 000004
【図３】
2011055132.tif 000005
【図４】
2011055132.tif 000006
【図５】
2011055132.tif 000007
【図６】
2011055132.tif 000008
【図７】
2011055132.tif 000009